(57)【特許請求の範囲】
【請求項１】
少なくとも所定の発光により演出を行う演出玩具であって、
所定の空間が形成される本体部と、所定の空間内で可動される可動部と、前記可動部に向けて発光する発光部と、前記本体部に設けた装着部に対し着脱可能であり前記可動部の可動を操作する第１の操作部と、さらに第２の操作部と、を備え、
前記可動部は、前記装着部に前記第１の操作部を装着することにより、一方の可動阻止位置まで可動する演出玩具。
【請求項２】
請求項１において、
前記本体部の少なくとも一部は、所定の空間における発光を視認可能なように透明又は半透明に形成されている演出玩具。
【請求項３】
請求項１または請求項２において、
前記可動部には、前記発光部から発光された光を反射させる反射面が形成されている演出玩具。
【請求項４】
請求項３において、
前記可動部における反射面は、少なくとも一部が曲面に形成されている演出玩具。
【請求項５】
請求項１において、
前記可動部は、前記第２の操作部を操作することにより、他方の可動阻止位置に向けて段階的に可動する演出玩具。
【請求項６】
請求項５において、
前記一方の可動阻止位置は、前記発光部から最も離間した位置であり、前記他方の可動阻止位置は、前記発光部に最も接近した位置である演出玩具。
【請求項７】
請求項５または請求項６のいずれか一項において、
前記本体部は、発音部をさらに備え、
前記発音部は、前記第２の操作部を操作する毎に第１の音を発する演出玩具。
【請求項８】
請求項７において、
前記発音部は、前記第２の操作部の操作により、前記可動部が前記他方の可動阻止位置に位置した際に、前記第１の音とは異なる第２の音を発する演出玩具。
【請求項９】
請求項１において、
前記第１の操作部は、把持部と、把持部内から出没可能に構成された出没部とをさらに有する演出玩具。
【請求項１０】
請求項９において、
前記装着部には、前記出没部を挿入可能な開口部が形成され、前記出没部を前記開口部に挿入することにより、前記第１の操作部は、前記装着部に装着される演出玩具。
【請求項１１】
請求項１０において、
前記第１の操作部は、前記装着部に対し回動操作することにより前記本体部にさらに保持される演出玩具。
【請求項１２】
請求項１１において、
前記装着部には、装着された第１の操作部を検出する検出部が設けられ、第１の操作部を回動操作することにより装着された第１の操作部が検出され、検出された第１の操作部に応じた演出がなされる演出玩具。
【請求項１３】
請求項１２において、
前記第１の操作部を所定回転角度、回動操作することにより装着された前記第１の操作部が検出され、さらに所定回転角度を超えて回動操作することにより、前記可動部は、前記一方の可動阻止位置まで可動する演出玩具。
【発明の詳細な説明】
【技術分野】
【０００１】
本発明は、演出玩具に関する。
【背景技術】
【０００２】
従来、知育玩具として、積み木やブロック等の知育玩具が知られている。そして、空間的な配置形態に応じて色や明るさが変化するような発光式形態構成玩具が知られている（例えば、特許文献１）。
【先行技術文献】
【特許文献】
【０００３】
【特許文献１】特開２００７−２９３１７号公報
【発明の概要】
【発明が解決しようとする課題】
【０００４】
本発明は、発光による演出を用い、遊戯性をさらに高めることが可能な演出玩具を提供することを目的とする。
【課題を解決するための手段】
【０００５】
本発明に係る演出玩具は、少なくとも所定の発光により演出を行う演出玩具であって、所定の空間が形成される本体部と、所定の空間内で可動される可動部と、前記可動部に向けて発光する発光部と、前記本体部に設けた装着部に対し着脱可能であり前記可動部の可動を操作する第１の操作部と、さらに第２の操作部と、を備え、前記可動部は、前記装着部に前記第１の操作部を装着することにより、一方の可動阻止位置まで可動することを特徴とする。
【０００６】
また、本発明に係る演出玩具においては、前記本体部の少なくとも一部は、所定の空間における発光を視認可能なように透明又は半透明に形成されているようにしてもよい。
【０００７】
また、本発明に係る演出玩具においては、前記可動部には、前記発光部から発光された光を反射させる反射面が形成されているようにしてもよい。
【０００８】
また、本発明に係る演出玩具においては、前記可動部における反射面は、少なくとも一部が曲面に形成されているようにしてもよい。
【００１１】
また、本発明に係る演出玩具においては、前記可動部は、前記第２の操作部を操作することにより、他方の可動阻止位置に向けて段階的に可動するようにしてもよい。
【００１２】
また、本発明に係る演出玩具においては、前記一方の可動阻止位置は、前記発光部から最も離間した位置であり、前記他方の可動阻止位置は、前記発光部に最も接近した位置であるようにしてもよい。
【００１３】
また、本発明に係る演出玩具においては、前記本体部は、発音部をさらに備え、
前記発音部は、前記第２の操作部を操作する毎に第１の音を発するようにしてもよい。
【００１４】
また、本発明に係る演出玩具においては、前記発音部は、前記第２の操作部の操作により、前記可動部が前記他方の可動阻止位置に位置した際に、前記第１の音とは異なる第２の音を発するようにしてもよい。
【００１５】
また、本発明に係る演出玩具においては、前記第１の操作部は、把持部と、把持部内から出没可能に構成された出没部とをさらに有するようにしてもよい。
【００１６】
また、本発明に係る演出玩具においては、前記装着部には、前記出没部を挿入可能な開口部が形成され、前記出没部を前記開口部に挿入することにより、前記第１の操作部は、前記装着部に装着されるようにしてもよい。
【００１７】
また、本発明に係る演出玩具においては、前記第１の操作部は、前記装着部に対し回動操作することにより前記本体部にさらに保持されるようにしてもよい。
【００１８】
また、本発明に係る演出玩具においては、前記装着部には、装着された第１の操作部を検出する検出部が設けられ、第１の操作部を回動操作することにより装着された第１の操作部が検出され、検出された第１の操作部に応じた演出がなされるようにしてもよい。
【００１９】
また、本発明に係る演出玩具においては、前記第１の操作部を所定回転角度、回動操作することにより装着された前記第１の操作部が検出され、さらに所定回転角度を超えて回動操作することにより、前記可動部は、前記一方の可動阻止位置まで可動するようにしてもよい。
【発明の効果】
【００２０】
本発明によれば、遊戯性をさらに高めることが可能な演出玩具を提供することができる。
【図面の簡単な説明】
【００２１】
【図１】本発明の実施形態を説明するための、演出玩具の一例の構成を示す図である。
【図２】図１の演出玩具における本体部の機能ブロックを示す図である。
【図３】図１の演出玩具の動作を示す図である。
【図４】図１の演出玩具の動作を示す図である。
【図５】図１の演出玩具の動作を示す図である。
【図６】図１の演出玩具の操作部に付された識別コードを取得する本体部の検出部の構成を示す図である。
【図７】図６の検出部の構成を示す図である。
【図８】図１の演出玩具の操作部に付された識別コードの構成を示す図である。
【図９】図８の操作部に付された識別コードを取得する方法を示す図である。
【図１０】図８の操作部に付された識別コードを取得する方法を示す図である。
【図１１】図１０（Ｃ）におけるＸＩ−ＸＩ線断面を示す図である。
【図１２】図１の演出玩具の本体部の可動部を移動させる機構の一例の構成を示す図である。
【図１３】図１の演出玩具の本体部の可動部を移動させる機構の一例の構成を示す図である。
【図１４】図１２及び図１３の機構の動作を示す図である。
【図１５】本発明の実施形態を説明するための、演出玩具の一例の正面図である。
【図１６】本発明の実施形態を説明するための、演出玩具の一例の背面図である。
【図１７】本発明の実施形態を説明するための、演出玩具の一例の左側面図である。
【図１８】本発明の実施形態を説明するための、演出玩具の一例の右側面図である。
【図１９】本発明の実施形態を説明するための、演出玩具の一例の平面図である。
【図２０】本発明の実施形態を説明するための、演出玩具の一例の底面図である。
【図２１】本発明の実施形態を説明するための、演出玩具の一例の斜視図である。
【図２２】本発明の実施形態を説明するための、演出玩具の一例の斜視図である。
【発明を実施するための形態】
【００２２】
図１は、本発明の実施形態を説明するための、演出玩具の全体構成例を示す斜視図である。
【００２３】
演出玩具１は、本体部２と、第１の操作部３とを備える。
【００２４】
本体部２は、少なくとも発光による演出を出力可能に構成され、本例では、発光及び音声による演出を出力可能に構成されている。そして、発光及び音声による演出に合わせて移動される可動部１０を備える。
【００２５】
本体部２は、全体として香水瓶などの液体容器を模した形状に形成されており、ケース１１と、ケース１１の下部側の正面との間に空間をあけて配置されたカバー１２とを有する。可動部１０は、ケース１１とカバー１２との間の空間に配置されており、この空間内にて上下に移動される。
【００２６】
ケース１１は、発光及び音声による演出を出力するための電気部品や可動部１０を上下に移動させるための機構などを収納している。ケース１１の底部で可動部１０の下方にあたる位置には、例えばＬＥＤ（light emitting diode）等の発光体１３が設けられており、発光体１３は、可動部１０を下方から照明する。
【００２７】
可動部１０は、少なくとも一部が曲面に形成され、図示の例では香水等の液体の液面の揺らぎを模して波状に起伏した板で構成されている。そして、発光体１３に向く可動部１０の下面は反射面とされている。
【００２８】
カバー１２は透明又は半透明に形成されており、可動部１０が配置されるケース１１とカバー１２との間の空間が視認可能となっている。そして、発光体１３が発する光により、ケース１１とカバー１２との間の空間において発光体１３が設けられているケース１１の底部と発光体１３に向く下面が反射面とされた可動部１０との間は、特に光で満たされているかのように光輝して視認される。
【００２９】
ケース１１の天面には、第１の操作部３が着脱される装着部１４と、可動部１０を移動させるための第２の操作部１５とが設けられている。
【００３０】
第１の操作部３は、台座部２０と、使用者が把持可能な把持部２１と、出没部２２とを有する。
【００３１】
出没部２２は、把持部２１の内部で上下に移動可能に支持されており、把持部２１を貫通して設けられたレバー部２３の操作に応じて上下に移動される。出没部２２は、下方に移動されることにより、先端部を台座部２０の底面中央部から突出させ、上方に移動されることにより、把持部２１の内部に収納される。出没部２２は鍵を模した形状に形成されており、台座部２０の底面中央部から突出される出没部２２の先端部には、側方に突出するブレード部２４が設けられている。
【００３２】
台座部２０は円盤状に形成されており、外周面には、径方向外側に突出する一対の凸部２５ａ，２５ｂが設けられている。一対の凸部２５ａ，２５ｂは、出没部２２が突出する底面中央部を挟んで互いに反対側に設けられている。
【００３３】
第１の操作部３が装着される装着部１４は、第１の操作部３の台座部２０が嵌り込む凹部として構成されている。装着部１４の内周面には、台座部２０の一対の凸部２５ａ，２５ｂをそれぞれ収容する収容部１６ａ，１６ｂ、そして、収容部１６ａ，１６ｂから円弧状にそれぞれ延びる溝１７ａ，１７ｂが凹設されている。また、装着部１４の底面中央部には、台座部２０の底面から突出した出没部２２の先端部が挿通可能な挿通孔１８が設けられている。
【００３４】
装着部１４に台座部２０が嵌め込まれた状態で、台座部２０の一対の凸部２５ａ，２５ｂが装着部１４の収容部１６ａ，１６ｂにそれぞれ収容されている。第１の操作部３は、収容部１６ａ，１６ｂから円弧状にそれぞれ延びる溝１７ａ，１７ｂに凸部２５ａ，２５ｂをそれぞれ進入させるようにして、回動可能に装着部１４に支持され、使用者によって回動操作される。
【００３５】
第２の操作部１５は、押下可能にケース１１に支持されており、使用者によって押下回動操作される。
【００３６】
図２は、本体部２の機能ブロックを示す。
【００３７】
演出玩具１の本体部２は、発光体１３を含み発光による演出を出力する発光部３０と、スピーカ等の発音体を含み音声による演出を出力する発音部３１と、第１の操作部３の装着部１４への装着及び第１操作部３に対する回動操作を検出する第１の検出部３２と、第２の操作部１５に対する押下操作を検出する第２の検出部３３と、可動部１０の位置を検出する位置検出部３４と、記憶部３５と、制御部３６と、を備える。
【００３８】
記憶部３５は、例えばＲＯＭ（Read Only Memory）やＲＡＭ（Random Access Memory）などの記憶媒体を含んで構成され、制御部３６によって実行されるプログラムや、発光部３０および発音部３１に出力させる演出データを記憶している。
【００３９】
制御部３６は、例えばマイクロプロセッサなどの処理装置を含み、記憶部３５に記憶されたプログラムに従って動作する。そして、制御部３６は、第１の検出部３２の検出結果、及び第２の検出部３３の検出結果、並びに位置検出部３４の検出結果に基づいて、対応する演出データを記憶部３５から読み出し、読み出した演出データに基づいて、発光部３０および発音部３１を動作させる。
【００４０】
図３から図５は、演出玩具１の動作を示す。
【００４１】
図３に示すように、第１の操作部３が本体部２の装着部１４に装着された状態で、第１の操作部３が矢印Ａで示す方向に回動操作される。第１の操作部３が所定角度回動されると、第１の検出部３２（図２参照）によって第１の操作部３に対する回動操作が検出され、図４に示すように、制御部３６の制御のもとで発光部３０の発光体１３が点灯され、発光部３０から発光による演出が出力される。これに併せて可動部１０が、上下方向の可動範囲における上端であって、可動範囲内にて発光体１３から最も離間した位置である第１の可動阻止位置まで上昇される。以上の動作により、あたかも、可動部１０が収容されている本体部２の空間内が液体で満たされるような演出を行うことができる。
【００４２】
続いて、図５に示すように、第２の操作部１５が押下されると、可動部１０が、矢印Ｃで示す方向に段階的に下降する。その際、第２の検出部３３によって第２の操作部１５に対する押下操作が検出され、制御部３６の制御のもとで発音部３１から第１の音声による演出が出力される。発音部３１から出力される第１の音声としては、「プシュ」のような音声を例示することができる。そして、第２の操作部１５の押下が繰り返し行われることにより、可動部１０が、上下方向の可動範囲における下端であって、可動範囲内にて発光体１３に最も接近した位置である第２の可動阻止位置まで段階的に下降される。位置検出部３４は、可動部１０第２の操作部１５が第２の可動阻止位置に達したことを検出し、位置検出部３４によって可動部１０第２の操作部１５が第２の可動阻止位置に達したことが検出されている場合に、第２の操作部１５が押下されると、第２の検出部３３によって第２の操作部１５に対する押下操作が検出され、制御部３６の制御のもとで発音部３１から第２の音声による演出が出力される。発音部３１から出力される第２の音声としては、「スカ」のような音声を例示することができる。
【００４３】
以上の動作により、第２の操作部１５が操作される毎に、あたかも、本体部２内の液体が少しずつ減っていき、ついには液体が無くなったかのような演出を行うことができる。
【００４４】
本演出玩具１では、第１の操作部３が複数種用意され、第１の操作部３には種別毎に異なる識別コードが付されており、第１の検出部３２は、装着部１４に装着された第１の操作部３の識別コードを取得可能に構成されている。そして、制御部３６は、第１の検出部３２にて取得した識別コードに応じた演出データを記憶部３５から読み出し、第１の操作部３の種別毎に異なる演出を発光部３０や発音部３１から出力させるように構成されている。第１の操作部３の種別毎に異なる演出としては、発光部３０の発光体１３の発光色や発光パターンが異なる演出を例示することができる。
【００４５】
以下、第１の操作部３の識別コード、及び識別コードを取得する第１の検出部３２の構成について説明する。
【００４６】
図６及び図７は、第１の検出部３２の構成を示し、図８は第１の操作部３に付された識別コードの構成を示す。
【００４７】
第１の検出部３２は、第１の操作部３が装着される装着部１４に設けられた複数のスイッチで構成され、図示の例では、第１スイッチ４０、第２スイッチ４１、第３スイッチ４２、エンドコード入力スイッチ４３で構成されている。
【００４８】
装着部１４は、上記のとおり、第１の操作部３の台座部２０が嵌り込む凹部として構成されており、装着部１４の内周面には、台座部２０の一対の凸部２５ａ，２５ｂをそれぞれ収容する収容部１６ａ，１６ｂ、そして、収容部１６ａ，１６ｂから円弧状にそれぞれ延びる溝１７ａ，１７ｂが凹設されている。また、装着部１４の底面中央部には、台座部２０の底面から突出した出没部２２の先端部が挿通可能な挿通孔１８が設けられている。
【００４９】
第１スイッチ４０、第２スイッチ４１、第３スイッチ４２は、装着部１４の底面中央部に設けられた挿通孔１８の周囲で周方向に間隔をあけて装着部１４の底面に設置されている。また、エンドコード入力スイッチ４３は、第１の操作部３の回動操作に伴い、台座部２０の一方の凸部２５ａが進入する溝１７ａ内で装着部１４の底面に設置されている。
【００５０】
装着部１４に嵌め込まれる第１の操作部３の台座部２０の底面には、出没部２２の周囲で周方向に間隔をあけて円弧状の第１領域５０、第２領域５１、第３領域５２が設けられている。そして、第１領域５０、第２領域５１、第３領域５２の各々には突起５３が設けられている。
【００５１】
第１領域５０の突起５３は、第１の操作部３の回動操作に併せて第１スイッチ４０を所定のタイミングで押下する。同様に、第２領域５１の突起５３は、第１の操作部３の回動操作に併せて第２スイッチ４１を所定のタイミングで押下し、第３領域５２の突起５３は、第１の操作部３の回動操作に併せて第３スイッチ４２を所定のタイミングで押下する。
【００５２】
第１領域５０、第２領域５１、第３領域５２の各領域には、周方向に等しい間隔をあけて同数の突起５３を設けることができ、各領域における突起５３の数及び位置は第１の操作部３の種別毎に異なる。第１領域５０、第２領域５１、第３領域５２の各領域における突起５３の配置パターンによって第１の操作部３の種別毎の識別コードが構成される。
【００５３】
ここで、第１の操作部３の出没部２２の先端部には、側方に突出するブレード部２４が設けられており、出没部２２が挿通される装着部１４の挿通孔１８には、ブレード部２４が進入可能な切り欠き１９が設けられている。ブレード部２４と切り欠き１９との整合によって、第１の操作部３は出没部２２の軸まわりに所定の回転姿勢で装着部１４に装着される。
【００５４】
また、装着部１４の収容部１６ａの幅Ｗ１ａと収容部１６ｂの幅Ｗ１ｂとは互いに異なっており、収容部１６ａ，１６ｂに収容される台座部２０の凸部２５ａ，２５ｂについても、凸部２５ａの幅Ｗ２ａと凸部２５ｂの幅Ｗ２ｂとは互いに異なっている。収容部１６ａと凸部２５ａ、及び収容部１６ｂと凸部２５ｂとの整合によっても、第１の操作部３は出没部２２の軸まわりに所定の回転姿勢で装着部１４に装着される。
【００５５】
図９および図１０は、第１の検出部３２による第１の操作部３の識別コードの取得方法を示す。
【００５６】
第１の操作部３が装着部１４に装着された図９（Ａ）に示す状態から、第１の操作部３が回動操作されることにより、第１の操作部３の第１領域５０、第２領域５１、第３領域５２の各領域に設けられている突起５３によって、第１スイッチ４０、第２スイッチ４１、第３スイッチ４２がそれぞれ適宜なタイミングで押下される。
【００５７】
図９（Ｂ）〜図９（Ｄ）に示す例では、まず図９（Ｂ）に示すように、第１領域５０の突起５３によって第１スイッチ４０のみが押下（ＯＮ）される。第１の検出部３２は、この第１スイッチ４０が押下されたタイミングでの第１スイッチ４０、第２スイッチ４１、第３スイッチ４２のＯＮ／ＯＦＦを、第１の操作部３の識別コードの一部をなす部分コードとして制御部３６に出力する。
【００５８】
続いて、図９（Ｃ）に示すように、第３領域５２の突起５３によって第３スイッチ４２のみが押下（ＯＮ）される。第１の検出部３２は、この第３スイッチ４２が押下されたタイミングでの第１スイッチ４０、第２スイッチ４１、第３スイッチ４２のＯＮ／ＯＦＦを部分コードとして制御部３６に出力する。
【００５９】
続いて、図９（Ｄ）に示すように、第２領域５１の突起５３によって第２スイッチ４１が押下（ＯＮ）され、また、第３領域５２の突起５３によって第３スイッチ４２が押下（ＯＮ）される。第１の検出部３２は、この第２スイッチ４１及び第３スイッチ４２が押下されたタイミングでの第１スイッチ４０、第２スイッチ４１、第３スイッチ４２のＯＮ／ＯＦＦを部分コードとして制御部３６に出力する。
【００６０】
以上の動作により、第１の操作部３の識別コードが取得される。
【００６１】
そして、図１０（Ａ）に示すように、第１の操作部３がさらに回動操作されることにより、台座部２０の一方の凸部２５ａによってエンドコード入力スイッチ４３が押下される。第１の検出部３２は、エンドコード入力スイッチ４３が押下されたことを検出し、エンドコードを制御部３６に出力する。
【００６２】
エンドコードが入力された制御部３６は、それまでに取得された複数の部分コードに基づいて識別コードを認識し、認識した識別コードに応じた演出データを記憶部３５から読み出し、以後、読み出した演出データに基づいて発光部３０や発音部３１を動作させる。
【００６３】
そして、第１の操作部３がさらに回動操作されると、図１０（Ｂ）に示すように、台座部２０の一方の凸部２５ａが、エンドコード入力スイッチ４３を乗り越えて後述する可動部１０を上下に移動させる機構のロック解除片１４０を押圧する。これにより、可動部１０が、上下方向の可動範囲における上端の第１の可動阻止位置まで上昇される。
【００６４】
その後、図１０（Ｃ）に示すように、第１の操作部３の回動を伴い、台座部２０の一方の凸部２５ａはロック解除片１４０によって押し戻され、ロック解除片１４０とエンドコード入力スイッチ４３との間に配置される。
【００６５】
図１１に示すように、装着部１４に装着された第１の操作部３が以上のように回動操作されることにより、第１の操作部３は、台座部２０と、挿通孔１８の切り欠き１９から外れた出没部２２のブレード部２４との間にケース１１を挟み込む。それにより、第１の操作部３は本体部２に保持される。
【００６６】
以下、可動部１０を上下に移動させる機構について説明する。
【００６７】
図１２及び図１３は、可動部１０を上下に移動させる機構の構成例を示す図である。
【００６８】
可動部１０の移動機構１００は、上下に延びる一対の第１アーム１０１及び第２アーム１０２を有し、可動部１０は、一対の第１アーム１０１及び第２アーム１０２によって支持されている。
【００６９】
第１アーム１０１は、軸１１０を介してケース１１に回動可能に支持されたスイングアーム１１１と、軸１１２を介してスイングアーム１１１に回動可能に連結されたリンクアーム１１３と、を有する。第２アーム１０２もまた、同様に、軸１２０を介してケース１１に回動可能に支持されたスイングアーム１２１と、軸１２２を介してスイングアーム１２１に回動可能に連結されたリンクアーム１２３と、を有する。可動部１０は、軸１１４，１２４を介して、リンクアーム１１３，１２３に連結されている。
【００７０】
第１アーム１０１はスイングアーム１１１とリンクアーム１１３との屈伸を伴い、また、第２アーム１０２はスイングアーム１１１とリンクアーム１１３との屈伸を伴い、それぞれ伸縮可能である。可動部１０は、第１アーム１０１及び第２アーム１０２が伸びることによって下方に移動され、また、第１アーム１０１及び第２アーム１０２が縮むことによって上方に移動される。
【００７１】
そして、第１アーム１０１のスイングアーム１１１はバネ１１５によって矢印Ｄで示す方向に付勢され、また、第２アーム１０２のスイングアーム１２１はバネ１２５によって矢印Ｅで示す方向に付勢されており、それにより、第１アーム１０１及び第２アーム１０２は縮まる向きに付勢されている。
【００７２】
移動機構１００は、第２の操作部１５の押下操作によって作動され、第１アーム１０１及び第２アーム１０２を伸ばす向きに駆動する駆動部１０３と、バネ１１５，１２５に付勢されている第１アーム１０１及び第２アーム１０２の縮みを阻止するロック部１０４とをさらに有する。
【００７３】
駆動部１０３は、スイングアーム１１１に固定された第１ギヤ１３０と、第２アーム１０２のスイングアーム１２１に固定され、第１ギヤ１３０に噛み合う第２ギヤ１３１と、同じく第１ギヤ１３０に噛み合う第３ギヤ１３２と、摩擦クラッチ１３３を介して第３ギヤ１３２に接続され、第３ギヤ１３２と一体に回転可能な第４ギヤ１３４と、軸１３５を介して揺動可能に第２の操作部１５に支持された駆動アーム１３６とを含んで構成されている。
【００７４】
駆動アーム１３６には第４ギヤ１３４に係合可能な爪１３７が設けられている。駆動アーム１３６は、第２の操作部１５の押下操作に伴って第２の操作部１５と共に押下され、爪１３７を第４ギヤ１３４に係合させ、第４ギヤ１３４を所定角度だけ回転させる。押下操作によって押し下げられた第２の操作部１５は、図示しないバネによって矢印Ｆで示す方向に付勢されて押し上げられる。
【００７５】
ロック部１０４には、装着部１４に露呈し、第１の操作部３によって押圧される上記のロック解除片１４０と、第４ギヤ１３４に係合可能な爪１４１とが設けられており、軸１４２を介して揺動可能にケース１１に支持されている。ロック部１０４は、図示しないバネによって、爪１４１を第４ギヤ１３４に係合させる向きに付勢されている。
【００７６】
図１４は、移動機構１００の動作を示す。
【００７７】
図１４（Ａ）は、バネ１１５，１２５に付勢されている第１アーム１０１及び第２アーム１０２が縮んでおり、可動部１０が上下方向の可動範囲における上端の第１の可動阻止位置まで上昇された状態を示す。
【００７８】
第２の操作部１４が押下されると、図１４（Ｂ）に示すように、駆動アーム１３６が第２の操作部１５と共に押下され、爪１３７を第４ギヤ１３４に係合させ、第４ギヤ１３４を所定角度だけ回転させる。このとき、ロック部１０４の爪１４１は第４ギヤ１３４の歯面を摺動して後退し、それによりロック部１０４による第４ギヤ１３４のロックが解除され、第４ギヤ１３４の回転が許容される。
【００７９】
第４ギヤ１３４の回転は、摩擦クラッチ１３３及び第３ギヤ１３２を介して第１ギヤ１３０に伝達され、さらに第１ギヤ１３０を介して第２ギヤ１３１にも伝達される。第１ギヤ１３０及び第２ギヤ１３１の各々の回転に伴い、バネ１１５，１２５の付勢に抗して第１アーム１０１及び第２アーム１０２が所定量延び、可動部１０もまた所定量下降される。
【００８０】
第２の操作部１４が押し上げられる際には、図１４（Ｃ）に示すように、駆動アーム１３６の爪１３７が第４ギヤ１３４の歯面を摺動して後退しつつ、駆動アーム１３６は第２の操作部１５と共に押し上げられる。そして、ロック部１０４は爪１４１を第４ギヤ１３４に係合させて第４ギヤ１３４をロックし、第４ギヤ１３４の回転が阻止される。それにより、可動部１０の位置が保持される。
【００８１】
以上の動作が繰り返されることにより、可動部１０は段階的に下降される。
【００８２】
可動部１０が上下方向の可動範囲における下端の第２の可動阻止位置まで下降された後に第２の操作部１４が押し上げられた際には、摩擦クラッチ１３３が空転することによって第４ギヤ１３４の回転は第１ギヤ１３０及び第２ギヤ１３１には伝達されず、可動部１０は第２の可動阻止位置に保持される。
【００８３】
今回開示された実施形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【００８４】
１     演出玩具
２     本体部
３     第１の操作部
１０   可動部
１１   ケース
１２   カバー
１３   発光体
１４   装着部
１５   第２の操作部
３０   発光部
３１   発音部
【要約】
【課題】遊戯性をさらに高めることが可能な演出玩具を提供する。
【解決手段】少なくとも所定の発光により演出を行う演出玩具１であって、所定の空間が形成される本体部２と、所定の空間内で可動される可動部１０と、可動部１０に向けて発光する発光部３０と、可動部１０の可動を操作する操作部１５と、を備え、可動部１０は、操作部１５の操作により段階的に可動されるようにすることができる。
【選択図】図１【図１】
0005802322.tif 000002
【図２】
0005802322.tif 000003
【図３】
0005802322.tif 000004
【図４】
0005802322.tif 000005
【図５】
0005802322.tif 000006
【図６】
0005802322.tif 000007
【図７】
0005802322.tif 000008
【図８】
0005802322.tif 000009
【図９】
0005802322.tif 000010
【図１０】
0005802322.tif 000011
【図１１】
0005802322.tif 000012
【図１２】
0005802322.tif 000013
【図１３】
0005802322.tif 000014
【図１４】
0005802322.tif 000015
【図１５】
0005802322.tif 000016
【図１６】
0005802322.tif 000017
【図１７】
0005802322.tif 000018
【図１８】
0005802322.tif 000019
【図１９】
0005802322.tif 000020
【図２０】
0005802322.tif 000021
【図２１】
0005802322.tif 000022
【図２２】
0005802322.tif 000023